(57)【要約】【課題】楽器の物理的一体性を増加させる、ギターのネックからボディへの接合部の、装置、組み立て方法および製造方法を提供すること。【解決手段】弦楽器のための、ヘッドブロックと指板とを支持するアセンブリであって、該ヘッドブロックと指板とを支持するアセンブリは、該弦楽器のネックおよび指板に設置するための指板支持アセンブリであって、該指板支持アセンブリは、一体化されたレール構造体を有するプレートを備える、指板支持アセンブリ；ならびにヘッドブロックであって、該ヘッドブロックは、該一体化されたレール構造体を受容するための一体化されたチャネルを有し、該ヘッドブロックは、該指板支持アセンブリに固定されるように適合されている、ヘッドブロック、を備える、ヘッドブロックと指板とを支持するアセンブリ。【選択図】なし【特許請求の範囲】
【請求項１】
弦楽器のための、ヘッドブロックと指板とを支持するアセンブリであって、該ヘッドブロックと指板とを支持するアセンブリは、
該弦楽器のネックおよび指板に設置するための指板支持アセンブリであって、該指板支持アセンブリは、一体化されたレール構造体を有するプレートを備える、指板支持アセンブリ；ならびに
ヘッドブロックであって、該ヘッドブロックは、該一体化されたレール構造体を受容するための一体化されたチャネルを有し、該ヘッドブロックは、該指板支持アセンブリに固定されるように適合されている、ヘッドブロック、
を備える、ヘッドブロックと指板とを支持するアセンブリ。
【請求項２】
前記プレートが、前記弦楽器の前記ネックまたは指板に一体化された凹部に固定されるように適合されている、請求項１に記載のヘッドブロックと指板とを支持するアセンブリ。
【請求項３】
前記ヘッドブロックが、支持棒を受容するように適合されており、該支持棒は、剛性を提供するために、前記弦楽器の前記ネックに一体化される、請求項１に記載のヘッドブロックと指板とを支持するアセンブリ。
【請求項４】
ねじ切りされた挿入物をさらに備え、該ねじ切りされた挿入物は、前記指板支持アセンブリに一体化されて、前記弦楽器の前記ネックおよび前記ボディを固定する、請求項１に記載のヘッドブロックと指板とを支持するアセンブリ。
【請求項５】
前記ヘッドブロックが、角度の付いたねじ構成を利用して、指板を、前記弦楽器のボディの上表面にしっかりと引き寄せる、請求項１に記載のヘッドブロックと指板とを支持するアセンブリ。
【請求項６】
前記ヘッドブロックまたは指板支持アセンブリが、剛性を提供するための複合材料から構成されている、請求項１に記載のヘッドブロックと指板とを支持するアセンブリ。
【請求項７】
前記複合材料が、前記ヘッドブロックまたは指板支持アセンブリの表面にわたって剛性を変化させるために選択可能である、請求項６に記載のヘッドブロックと指板とを支持するアセンブリ。
【請求項８】
前記ヘッドブロックの第一の表面に結合されたシム構造体をさらに備え、該シム構造体は、該ヘッドブロックを、前記弦楽器のボディの第二の表面に設置するためのものである、請求項１に記載のヘッドブロックと指板とを支持するアセンブリ。
【請求項９】
弦楽器のための、ヘッドブロックと指板とを支持するアセンブリであって、該ヘッドブロックと指板とを支持するアセンブリは、
一体化されたレールを有するプレート；および
該弦楽器のボディに設置するためのヘッドブロックであって、該ヘッドブロックは、該プレートの一体化されたレールを受容する、一体化されたチャネルを有する、ヘッドブロック、
を備える、ヘッドブロックと指板とを支持するアセンブリ。
【請求項１０】
前記プレートが、前記弦楽器のネックまたは指板に一体化された凹部に固定されるように適合されている、請求項９に記載のヘッドブロックと指板とを支持するアセンブリ。
【請求項１１】
前記ヘッドブロックが、支持棒を受容するように適合されており、該支持棒は、剛性を提供するために、前記弦楽器のネックに一体化される、請求項９に記載のヘッドブロックと指板とを支持するアセンブリ。
【請求項１２】
ねじ切りされた挿入物をさらに備え、該ねじ切りされた挿入物は、前記プレートに一体化されて、前記弦楽器のネックに該プレートを固定するためのものである、請求項９に記載のヘッドブロックと指板とを支持するアセンブリ。
【請求項１３】
前記ヘッドブロックまたは前記プレートが、複合材料から構成されている、請求項９に記載のヘッドブロックと指板とを支持するアセンブリ。
【請求項１４】
前記複合材料が、前記ヘッドブロックまたはプレートの表面にわたって剛性を変化させるために選択可能である、請求項１３に記載のヘッドブロックと指板とを支持するアセンブリ。
【請求項１５】
前記ヘッドブロックが、エポキシ材料を使用して、前記弦楽器のボディに結合される、請求項９に記載のヘッドブロックと指板とを支持するアセンブリ。
【請求項１６】
前記ヘッドブロックの第一の表面に結合されたシム構造体をさらに備え、該シム構造体は、該ヘッドブロックを、前記弦楽器のボディの第二の表面に設置するためのものである、請求項９に記載のヘッドブロックと指板とを支持するアセンブリ。
【請求項１７】
弦楽器を組み立てる方法であって、該組み立て方法は、
プレート構造体を該弦楽器のネックおよび指板に設置する工程であって、該プレートは、一体化されたレールを備える、工程；ならびに
ヘッドブロックを、該弦楽器のボディの内側表面に設置する工程であって、該ヘッドブロックは、該プレート構造体の該一体化されたレールを受容するための、一体化されたチャネル構造体を有する、工程、
を包含する、組み立て方法。
【請求項１８】
支持棒を、前記弦楽器の前記ネックに一体化された凹部に固定する工程をさらに包含する、請求項１７に記載の組み立て方法。
【請求項１９】
前記ヘッドブロックまたはプレート構造体が、複合材料から構成されている、請求項１７に記載の組み立て方法。
【請求項２０】
前記複合材料が、剛性を変化させるために選択可能である、請求項１７に記載の組み立て方法。
【請求項２１】
前記ヘッドブロックを前記弦楽器のボディの内側表面に設置する工程が、取り外し可能な取り付け機構を使用して実施される、請求項１７に記載の組み立て方法。
【請求項２２】
組み立ての均一性を提供するために、シム構造体を、前記ヘッドブロックの外側表面に結合する工程をさらに包含する、請求項１７に記載の組み立て方法。
【請求項２３】
弦楽器のための、ヘッドブロックと指板とを支持するアセンブリを製造する方法であって、該製造方法は、
一体化されたレールを有するプレートを提供する工程；および
該弦楽器のボディに設置するためのヘッドブロックを提供する工程であって、該ヘッドブロックは、該プレートの該一体化されたレールを受容する、一体化されたチャネルを有する、工程、
を包含する、製造方法。
【請求項２４】
前記プレートが、前記弦楽器のネックまたは指板に一体化された凹部に固定されるように適合されている、請求項２３に記載の製造方法。
【請求項２５】
支持棒を提供する工程をさらに包含し、該棒は、剛性を提供するために、前記弦楽器のネックに一体化されるように適合されている、請求項２３に記載の製造方法。
【請求項２６】
前記ボディを前記弦楽器のネックに固定するためのねじ切りされた挿入物を、前記プレートに提供する工程をさらに包含する、請求項２３に記載の製造方法。
【請求項２７】
前記ヘッドブロックまたはプレートを、複合材料で形成する工程をさらに包含する、請求項２３に記載の製造方法。
【請求項２８】
前記ヘッドブロックまたはプレートの表面に沿って剛性を変化させるために、前記複合材料を選択する工程をさらに包含する、請求項２７に記載の製造方法。
【請求項２９】
前記ヘッドブロックが、前記ボディに、取り外し可能な取り付け機構を使用して設置されるように適合されている、請求項２３に記載の製造方法。
【請求項３０】
前記ヘッドブロックを前記弦楽器の前記ボディの第二の表面に設置するために、該ヘッドブロックの第一の表面に結合されるように適合されたシム構造体を提供する工程をさらに包含する、請求項２３に記載の製造方法。
【発明の詳細な説明】
【技術分野】
【０００１】
（発明の分野）
本発明は、一般に、楽器に関し、そしてより特定すると、弦楽器のための、ヘッドブロックと指板とを支持する装置に関する。
【背景技術】
【０００２】
（発明の背景）
ギターは、人気のある楽器であり、そして通常、アマチュア音楽家とプロ音楽家との両方によって、使用されている。アコースティック型のギターは、一般に、中空のボディを有し、このボディは、ネックに接続されている。この中空のボディは、裏板および共鳴板を備える。この共鳴板の中心領域に、サウンドホールが一体化されている。これらの裏板および共鳴板は、形作られた側壁によって接続されている。ネックおよびボディは、一般に、ヘッドブロックとして通常公知である構造体を使用して、一緒に接続される。このネックは、ネックからボディへの接合部においてネックとヘッドブロックとが一緒になる箇所で、終わる。
【０００３】
ギターは、共鳴板上のブリッジからサウンドホールを横切り、ネックに沿って、かなりの張力で張られた、一連の弦を有する。ギターは、もともと、低張力の弦（ガットから作製される弦、および後には、ナイロンから作製される弦）を利用していた。後には、スチール弦が、ギターに組み込まれた。スチール弦の使用は、ギターのボディおよびネックに作用する張力を、劇的に増加させた。スチール弦の使用に関連する張力のかなりの増加はまた、特に、ギターの部分構成要素が種々の接合部で一緒になる場所において、故障様式の増加をもたらした。
【０００４】
従来技術の設計は、演奏の質に不利な影響を与えることなく、ギターの強度および耐久性を改善することを試みた。改善には、共鳴板の下側の力木パターン、またはギターの接合領域を補強するためのネックからボディへの接合構成が含まれた。
【０００５】
種々の改善にもかかわらず、ギターの製造（特に、楽器の構成において一般に木材を使用するアコースティックギターの製造）は、完成した製品におけるかなりの量の変動性に供される。木材の物理的品質は、部品ごとに変化し得、そして環境因子（例えば、湿度）もまた、製造されたギターに一体化される種々の部分構成要素の全体的な物理的特長に対して、役割を果たす。
【０００６】
さらに、ギターは、強度および剛性の欠如、ならびに接合部（特に、ネックからボディへの接合部）における移動または回転の傾向に、悩まされ続けている。変動性の影響を減少させるため、ならびに剛性および安定性を強めるために、製造者は、伝統的に、非常に精密な工具の使用および／または個人の技能に依存して、楽器の種々の部分構成要素を、一緒に厳重にはめ合わせた。しかし、個々の作製者の技能は、製造プロセスにおいて使用される原材料と同様に、変動する。
【発明の開示】
【発明が解決しようとする課題】
【０００７】
楽器の物理的一体性を増加させる、ギターのネックからボディへの接合部の、装置、組み立て方法および製造方法が、必要とされている。さらに、組み立て方法および製造方法は、高度な一貫性で再現可能であり得なければならない。
【課題を解決するための手段】
【０００８】
上記課題を解決するために、本発明は、以下を提供する：
（項目１）
弦楽器のための、ヘッドブロックと指板とを支持するアセンブリであって、該ヘッドブロックと指板とを支持するアセンブリは、
該弦楽器のネックおよび指板に設置するための指板支持アセンブリであって、該指板支持アセンブリは、一体化されたレール構造体を有するプレートを備える、指板支持アセンブリ；ならびに
ヘッドブロックであって、該ヘッドブロックは、該一体化されたレール構造体を受容するための一体化されたチャネルを有し、該ヘッドブロックは、該指板支持アセンブリに固定されるように適合されている、ヘッドブロック、
を備える、ヘッドブロックと指板とを支持するアセンブリ。
（項目２）
上記プレートが、上記弦楽器の上記ネックまたは指板に一体化された凹部に固定されるように適合されている、項目１に記載のヘッドブロックと指板とを支持するアセンブリ。
（項目３）
上記ヘッドブロックが、支持棒を受容するように適合されており、該支持棒は、剛性を提供するために、上記弦楽器の上記ネックに一体化される、項目１に記載のヘッドブロックと指板とを支持するアセンブリ。
（項目４）
ねじ切りされた挿入物をさらに備え、該ねじ切りされた挿入物は、上記指板支持アセンブリに一体化されて、上記弦楽器の上記ネックおよび上記ボディを固定する、項目１に記載のヘッドブロックと指板とを支持するアセンブリ。
（項目５）
上記ヘッドブロックが、角度の付いたねじ構成を利用して、指板を、上記弦楽器のボディの上表面にしっかりと引き寄せる、項目１に記載のヘッドブロックと指板とを支持するアセンブリ。
（項目６）
上記ヘッドブロックまたは指板支持アセンブリが、剛性を提供するための複合材料から構成されている、項目１に記載のヘッドブロックと指板とを支持するアセンブリ。
（項目７）
上記複合材料が、上記ヘッドブロックまたは指板支持アセンブリの表面にわたって剛性を変化させるために選択可能である、項目６に記載のヘッドブロックと指板とを支持するアセンブリ。
（項目８）
上記ヘッドブロックの第一の表面に結合されたシム構造体をさらに備え、該シム構造体は、該ヘッドブロックを、上記弦楽器のボディの第二の表面に設置するためのものである、項目１に記載のヘッドブロックと指板とを支持するアセンブリ。
（項目９）
弦楽器のための、ヘッドブロックと指板とを支持するアセンブリであって、該ヘッドブロックと指板とを支持するアセンブリは、
一体化されたレールを有するプレート；および
該弦楽器のボディに設置するためのヘッドブロックであって、該ヘッドブロックは、該プレートの一体化されたレールを受容する、一体化されたチャネルを有する、ヘッドブロック、
を備える、ヘッドブロックと指板とを支持するアセンブリ。
（項目１０）
上記プレートが、上記弦楽器のネックまたは指板に一体化された凹部に固定されるように適合されている、項目９に記載のヘッドブロックと指板とを支持するアセンブリ。
（項目１１）
上記ヘッドブロックが、支持棒を受容するように適合されており、該支持棒は、剛性を提供するために、上記弦楽器のネックに一体化される、項目９に記載のヘッドブロックと指板とを支持するアセンブリ。
（項目１２）
ねじ切りされた挿入物をさらに備え、該ねじ切りされた挿入物は、上記プレートに一体化されて、上記弦楽器のネックに該プレートを固定するためのものである、項目９に記載のヘッドブロックと指板とを支持するアセンブリ。
（項目１３）
上記ヘッドブロックまたは上記プレートが、複合材料から構成されている、項目９に記載のヘッドブロックと指板とを支持するアセンブリ。
（項目１４）
上記複合材料が、上記ヘッドブロックまたはプレートの表面にわたって剛性を変化させるために選択可能である、項目１３に記載のヘッドブロックと指板とを支持するアセンブリ。
（項目１５）
上記ヘッドブロックが、エポキシ材料を使用して、上記弦楽器のボディに結合される、項目９に記載のヘッドブロックと指板とを支持するアセンブリ。
（項目１６）
上記ヘッドブロックの第一の表面に結合されたシム構造体をさらに備え、該シム構造体は、該ヘッドブロックを、上記弦楽器のボディの第二の表面に設置するためのものである、項目９に記載のヘッドブロックと指板とを支持するアセンブリ。
（項目１７）
弦楽器を組み立てる方法であって、該組み立て方法は、
プレート構造体を該弦楽器のネックおよび指板に設置する工程であって、該プレートは、一体化されたレールを備える、工程；ならびに
ヘッドブロックを、該弦楽器のボディの内側表面に設置する工程であって、該ヘッドブロックは、該プレート構造体の該一体化されたレールを受容するための、一体化されたチャネル構造体を有する、工程、
を包含する、組み立て方法。
（項目１８）
支持棒を、上記弦楽器の上記ネックに一体化された凹部に固定する工程をさらに包含する、項目１７に記載の組み立て方法。
（項目１９）
上記ヘッドブロックまたはプレート構造体が、複合材料から構成されている、項目１７に記載の組み立て方法。
（項目２０）
上記複合材料が、剛性を変化させるために選択可能である、項目１７に記載の組み立て方法。
（項目２１）
上記ヘッドブロックを上記弦楽器のボディの内側表面に設置する工程が、取り外し可能な取り付け機構を使用して実施される、項目１７に記載の組み立て方法。
（項目２２）
組み立ての均一性を提供するために、シム構造体を、上記ヘッドブロックの外側表面に結合する工程をさらに包含する、項目１７に記載の組み立て方法。
（項目２３）
弦楽器のための、ヘッドブロックと指板とを支持するアセンブリを製造する方法であって、該製造方法は、
一体化されたレールを有するプレートを提供する工程；および
該弦楽器のボディに設置するためのヘッドブロックを提供する工程であって、該ヘッドブロックは、該プレートの該一体化されたレールを受容する、一体化されたチャネルを有する、工程、
を包含する、製造方法。
（項目２４）
上記プレートが、上記弦楽器のネックまたは指板に一体化された凹部に固定されるように適合されている、項目２３に記載の製造方法。
（項目２５）
支持棒を提供する工程をさらに包含し、該棒は、剛性を提供するために、上記弦楽器のネックに一体化されるように適合されている、項目２３に記載の製造方法。
（項目２６）
上記ボディを上記弦楽器のネックに固定するためのねじ切りされた挿入物を、上記プレートに提供する工程をさらに包含する、項目２３に記載の製造方法。
（項目２７）
上記ヘッドブロックまたはプレートを、複合材料で形成する工程をさらに包含する、項目２３に記載の製造方法。
（項目２８）
上記ヘッドブロックまたはプレートの表面に沿って剛性を変化させるために、上記複合材料を選択する工程をさらに包含する、項目２７に記載の製造方法。
（項目２９）
上記ヘッドブロックが、上記ボディに、取り外し可能な取り付け機構を使用して設置されるように適合されている、項目２３に記載の製造方法。
（項目３０）
上記ヘッドブロックを上記弦楽器の上記ボディの第二の表面に設置するために、該ヘッドブロックの第一の表面に結合されるように適合されたシム構造体を提供する工程をさらに包含する、項目２３に記載の製造方法。
【０００９】
弦楽器のための、ヘッドブロックと指板とを支持するアセンブリは、弦楽器のネックおよび指板に設置するための指板支持アセンブリを備える。この指板支持アセンブリは、一体化されたレール構造体を有するプレートをさらに備える。ヘッドブロックは、一体化されたレール構造体を受容するための、一体化されたチャネルを有する。このヘッドブロックは、指板支持アセンブリを固定するように適合される。弦楽器を組み立てる方法は、プレート構造体（このプレートは、一体化されたレールを備える）を、弦楽器のネックおよび指板に設置する工程、ならびにヘッドブロック（このヘッドブロックは、プレート構造体の一体化されたレールを受容するための、一体化されたチャネルを有する）を、弦楽器のボディの内側表面に設置する工程を包含する。
【００１０】
（発明の要旨）
１つの実施形態において、本発明は、弦楽器のための、ヘッドブロックと指板とを支持するアセンブリであり、このヘッドブロックと指板とを支持するアセンブリは、指板支持アセンブリおよびヘッドブロックを備え、この指板支持アセンブリは、弦楽器のネックおよび指板に設置されるためのものであり、そして一体化されたレール構造体を有するプレートを備え、そしてこのヘッドブロックは、この一体化されたレール構造体を受容するための、一体化されたチャネルを有し、このヘッドブロックは、指板支持アセンブリに固定されるように適合される。
【００１１】
別の実施形態において、本発明は、弦楽器のための、ヘッドブロックと指板とを支持するアセンブリであり、このヘッドブロックと指板とを支持するアセンブリは、一体化されたレールを有するプレート、およびこの弦楽器のボディに設置されるためのヘッドブロックを備え、このヘッドブロックは、プレートの一体化されたレールを受容するための、一体化されたチャネルを有する。
【００１２】
なお別の実施形態において、本発明は、弦楽器を組み立てる方法であり、この組み立て方法は、プレート構造体（このプレートは、一体化されたレールを備える）をこの弦楽器のネックおよび指板に設置する工程；ならびにヘッドブロック（このヘッドブロックは、プレート構造体の一体化されたレールを受容するための、一体化されたチャネル構造体を有する）をこの弦楽器のボディの内側表面に設置する工程を包含する。
【００１３】
なお別の実施形態において、本発明は、弦楽器のための、ヘッドブロックと指板とを支持するアセンブリを製造する方法であり、この製造方法は、一体化されたレールを有するプレートを提供する工程、およびこの弦楽器のボディに設置するためのヘッドブロックを提供する工程を包含し、このヘッドブロックは、一体化されたチャネルを有し、このチャネルは、プレートの一体化されたレールを受容する。
【発明の効果】
【００１４】
本発明により、楽器の物理的一体性を増加させる、ギターのネックからボディへの接合部の、装置、組み立て方法および製造方法が、提供される。本発明の組み立て方法および製造方法は、高度な一貫性で再現可能である。
【発明を実施するための最良の形態】
【００１５】
（図面の詳細な説明）
本発明は、１つ以上の実施形態で、以下の説明において、図面を参照しながら記載される。図面において、同じ番号は、同じかまたは類似の要素を表す。本発明は、本発明の目的を達成するための最良の形態の観点で記載されるが、添付の特許請求の範囲ならびに以下の開示および図面によって支持されるような特許請求の範囲の均等物によって規定されるような、本発明の精神および範囲内に含まれ得る場合、代替物、改変物および均等物を網羅することが意図されることが、当業者によって理解される。
【００１６】
図１ａは、ギター１０の上面図を図示する。ボディ１２およびネック１４を備えるギター１０が、図示される。ボディ１２は、円形のサウンドホール１８を有する共鳴板１６を有する。共鳴板１６は、側壁２０に接続され、この側壁は次に、裏板２２に接続される。ネック１４は、ヘッド２４を有する。弦（図示せず）が、ヘッド２４から、ネック１４に沿って、サウンドホール１８を横切り、そして共鳴板１６上のブリッジ２６へと張られる。
【００１７】
図１ｂは、ギター１０の側面図を図示する。ここでまた、ギター１０は、ボディ１２およびネック１４を備える。共鳴板１６は、ここでまた、側壁２０および裏板２２に接続される。
【００１８】
ギター１０に構造的剛性を提供し、そして組み立てられたギターにおける一貫した接合一体性を強めるために、ヘッドブロックと指板とを支持するアセンブリが、利用され得る。ヘッドブロックは、ギター１０のボディの内側表面に設置され得る。指板支持アセンブリは、ギター１０のネック１４に設置される。ヘッドブロックは、指板支持アセンブリを受容して、ネックからボディへの接合部を形成する。このヘッドブロックと指板とを支持するアセンブリは、複合材料から形成され得、この複合材料は、所望の堅さのための特定の配置で重ねられた繊維を含む。ギター１０において、ヘッドブロックと指板とのアセンブリを使用することにより、均一な構造体が提供され、これは、一貫した高度な精度で、より容易に製造される。その結果として、ネックからボディへの接合部は、一貫して高い品質である。
【００１９】
図２ａを参照すると、指板支持アセンブリのための支持プレート２８が示されている。プレート２８は、非常に剛性の高い複合構成要素であることが意図される。また、プレート２８は、炭素繊維で補強されたプラスチック（ＣＦＲＰ）、または正確な程度の堅さを提供するための特定の様式で配向されるように選択された繊維を含む類似の複合材料から構成され得る。さらに、複合材料の選択は、意図される剛性が、プレート２８の表面にわたって変動し、その結果、プレート２８の特定の領域が、プレート２８の別の特定の領域よりも剛性が高くなるような選択であり得る。その結果、高められた剛性および支持が、プレート２８の複数の領域において提供され得、このことは、ギター１０の全体的な音質を損なうことなく、高められた剛性および支持を利用する。プレート２８を作製する複合材料は、砕かれて成形され得るか、または特定の配向で配置された重ねられた繊維を利用し得る。複合プレート２８は、複合材料を形成するための公知の技術を使用して、製造され得る。
【００２０】
プレート２８は、底表面３０を備える。一連のねじ切りされた挿入物３２が、底表面３０を通して配置される。ねじ切りされた挿入物３２は、ねじまたはボルトのような機構の取り付けを可能にするように構成され、このねじまたはボルトは、このねじ切りされた挿入物を通過して、ギター１０の別の部分構成要素部品を連結させ得る。  
【００２１】
プレート２８は、２つの一体化レール３４を備えて示される。レール３４は、プレート２８と、構成が一体的である。レール３４は、プレート２８の底表面３０に実質的に沿って配置され、底表面３０の対向する側面に、１つずつのレール３４が配置される。レール３４は、ヘッドブロックに形成された一体化されたチャネルに固定されることが意図される。このヘッドブロックは、ギター１０のボディの内側表面に設置される。レール３４は、特定の用途のために、全体の形状が変化し得る。レール３４は、示されるように、組み立てを容易にするためにテーパ状の設計を有する。
【００２２】
開口部分３６が、プレート２８の全体に配置され、プレート２８の底表面からプレート２８の上表面への開口部を形成する。開口部分３６は、接着材料（例えば、エポキシ）が、このプレート構造体を貫通し、そしてプレート２８へのより良好な全体的結合を得ることを可能にすることを意図される。
【００２３】
図２ｂは、プレート２８の側面図を示す。ここでまた、レール３４が、底表面３０の対向する側面に配置されて示されている。上表面３８は、後に記載されるように、ギター１０の指板の底部と界面を接することが意図される。図２ｃは、プレート２８のさらなる側面図を図示する。ここでまた、表面３０および３８、ならびにレール３４が示されている。ねじ切りされた挿入物３２もまた示されている。ねじ切りされた挿入物３２は、垂直から９０°より大きい角度で構成される。１つの実施形態において、挿入物３２は、垂直から約３０°の角度で構成される。角度の付いた挿入物３２の構成の使用は、指板が、きつくはまった正確な様式で、ギター１０のボディ１２の上表面の方へと下向きに引き寄せられることを可能にする。
【００２４】
図３ａを参照すると、指板支持アセンブリを、ギター１０のネック１４に固定するための方法における、第一の工程が示されている。この指板支持アセンブリは、プレート２８を備え、このプレートは、最初に、示されるように、指板４０に固定される。指板４０は、凹部４２または空洞４２を備え、この凹部または空洞は、指板４０の底表面に一体化される。凹部４２は、プレート２８を受容する。レール３４は、プレート２８の下方に突出する。凹部４２の深さは、プレート２８の上表面３８から底表面３０までの深さとおよそ同じである。その結果、この凹部は、プレート２８を受容し、プレート２８の底表面３０を、指板４０の底表面とおよそ同一面にする。指板４０は、エポキシまたは類似の接着剤もしくは接着材料を使用して、プレート２８に固定され、きつく強い接合を形成し得る。
【００２５】
図３ｂを参照すると、指板支持アセンブリを固定するための方法における次の工程が示されている。指板４０と、一体化レール３４を有するプレート２８とが組み立てられた、指板支持アセンブリが示される。ヘッド２４が取り付けられた、ギター１０のネック１４が示されている。ネック１４はまた、踵状部分４４を備える。ネック１４の端部には、ネック１４の上表面に沿ったさらなる空洞４５が配置され、この空洞は、プレート２８のレール３４の一部を受容するためのものである。ネック１４の端部の部分は、舌状構造体４６を備え、この舌状構造体は、ネックからボディへの接合部の多くにおける通常の要素である。
【００２６】
図３ｃは、この方法における次の工程を示し、この図は、完全に組み立てられたネック１４のアセンブリ４７を含む。ここでまた、ヘッド２４、プレート２８、および指板４０が、完全に組み立てられた構成要素として示される。アセンブリ４７は、プレート２８を使用して、指板４０がギターのボディ１２の合わさる位置で指板４０が曲がらないようにしている。このネックからボディへの接合部は、さらなる堅さおよび剛性を提供される。
【００２７】
図３ｄは、さらなる実施形態におけるネック１４を示す。ネック１４は、ヘッド２４を備える。２つの平行な凹部のセットが、示されるように、ネック１４の長さに沿って配置される。支持棒４８が、各凹部に固定される。棒４８は、黒鉛、金属、複合材料、またはこれらの任意の組み合わせから構成され得る。棒４８に加えて、さらなるトラスロッド５０が、示されるように、ネック１４の中心軸に沿って位置する凹部内に配置される。トラスロッド５０もまた、種々の材料から構成され得る。ロッド５０は、棒４８と一緒になって、ネック１４の長軸に沿って、ネックからボディへの接合部から、ヘッド２４まで、さらなる剛性および支持を提供する。さらなる実施形態において、棒４８およびロッド５０は、さらに記載されるように、ネック１４の端部を通って、ギター１０のボディ１２を貫通するように適合され得る。アセンブリ４７は、棒４８およびロッド５０の、堅くする作用を、ギター１０のネックからボディへの接合部にわたって継続させる。
【００２８】
図４ａを参照すると、ヘッドブロック５２の正面図が示されている。ヘッドブロック５２は、ギター１０のボディ１２の内側表面に、ネックからボディへの接合部の位置で設置されることが意図される。リッジ５４が示されており、このリッジは、ヘッドブロック５２の中心の垂直軸に沿って延びる。リッジ５４は、リッジ５４の反対側に対応する空洞を有し、この空洞は、組み立てられたネック１４の舌状部分４６を受容するためのものである。ヘッドブロック５２は、ヘッドブロック５２の各側部の表面５６、および上表面６０を備える。開口部分５８は、接続機構（例えば、ボルトまたはねじ）がこの開口部分を貫通して、ボディ１２にヘッドブロック５２を固定することを可能にする。
【００２９】
示されるように、２つのチャネル６２が、ヘッドブロック５２の上表面６０に沿って配置される。チャネル６２は、プレート２８の一体化されたレール３４の部分を受容することが意図される。図４ｂは、チャネル６２をよりよく図示する。ここでまた、示されるように、チャネル６２は、ヘッドブロック５２の上表面６０全体に沿って配置される。切抜き部６４は、ギター１０のネック１４およびボディ１２を組み立てるために使用されるねじを捕捉することが意図される。
【００３０】
図４ｃは、ヘッドブロック５２の側面図を示す。ここで、この側面図は、表面５４の「Ｃ字型」の形状が図示されることを可能にする。表面５４は、締めされるように、ヘッドブロック５２の両端から中央部分へと細くなっており、表面５４に沿った垂直方向の支持を提供する。ここでまた、側部表面５６および上表面６０が示されている。背面６６は、実質的に平坦であり、ヘッドブロック５２が、ボディ１２の内部のネックからボディへの接合部の領域に固定されることを可能にする。
【００３１】
ここでまた、ヘッドブロック５２は、成形または形成された複合材料から構成され得る。ここで、プレート２８においてと同様に、この複合材料は、特定の量の支持および剛性を提供するように選択され得、そして特定の用途のために、ヘッドブロック５２のあらゆる表面にわたって変化するように適合され得る。ヘッドブロック５２は、ネック１４を受容し、そしてネック１４を、ギター１０のボディ１２に対する望ましい角度および配向で、望ましい場所および位置にしっかりと保持するように機能する。
【００３２】
ネック１４は、プレート２８を含めて、ヘッドブロック５２に、従ってボディ１２に、永続的には固定されないことを意図され得る。その代わりに、ヘッドブロック５２および指板支持アセンブリ４９は、ねじまたはボルトで示され、アセンブリ４９をヘッドブロック５２にしっかりと設置し得るのみでなく、必要とされる場合、または望ましい場合に、完成したギターが分解されることもまた可能にし得る。この分解の融通性は、この楽器に独特の機能を追加し、そして製造プロセスおよび組み立てプロセスにおける融通性を追加する。
【００３３】
図４ｄは、シム構造体５３を図示し、このシム構造体は、ヘッドブロック５２とボディ１２の内側表面とをつなぎ合わせることを意図される。示される図示において、シム５３は、ヘッドブロック５２の背面６６を、対応するボディ１２の内側の垂直表面とつなぎ合わせる。しかし、ヘッドブロック５２の各表面（例えば、上表面６０および側部表面５６）が、対応するシム構造体５３を提供されて、これらの表面と対応するボディ１２の内側表面とをつなぎ合わせ得る。シム構造体５３は、ヘッドブロック５２のそれぞれの表面に対応する。シム５３は、材料の薄片であることが意図され、この材料は、一般に、木材から構成されるが、他の材料からも構成され得る。示されるように、シム５３は、ヘッドブロック５２の輪郭の形状にされ、２つの一体化されたチャネル５５を含めて、ヘッドブロック５２の輪郭を反映する。
【００３４】
シム５３の使用は、同じヘッドブロック５２が、種々のギター製造計画において使用されることを可能にする。１つのヘッドブロック５２が、異なる内部表面特徴を有するギター１０のネック１４およびボディ１２を一緒に接合するために、使用され得る。その結果、製造プロセスがより効率的になり、なお各ヘッドブロック５２は、特定の設定で快適に適切にはまる。シム５３は、木材から構成されるので、シム５３は、特定の形状に容易にやすりがけされる。複合材料のヘッドブロック５２をやすりがけすることは、シム５３の導入が排除する多数のさらなる問題を、製造プロセスに提供する。
【００３５】
図４ｅは、ヘッドブロック５２の第一の三次元上面図を示す。ここでまた、上表面６０が、チャネル６２および切抜き部６４と同様に、見られる。シム５３と界面を接する背面６６もまた、示される。図４ｆは、ヘッドブロック５２の第二の三次元側面図を示す。リッジ５４がまた、側部表面５６、開口部分５８、上表面６０、チャネル６２、切抜き部６４、および背面６６と同様に、示される。図４ｇは、プレート２８の三次元底面図を示す。プレート２８は、示されるように、底表面３０を備える。レール３４が、底表面３０において、プレート２８に一体化される。先に記載されたように組み立てを補助するための挿入物３２が、開口部分３６と同様に、見られる。
【００３６】
図５ａを参照すると、プレート２８が固定されたヘッドブロック５２を有するギター１０のボディ１２の三次元切り取り図である。プレート２８は、ねじ切りされた挿入物３２を有する底表面３０を備え、このねじ切りされた挿入物３２は、先に記載されたように、プレート２８を指板に設置するためのものである。レール３４が、ヘッドブロック５２のチャネル６２によって受容されて、示されている。ヘッドブロック５２は、リッジ５４、側部表面４５、開口部分５８、上表面６２、および背面６６を備える。
【００３７】
図５ｂは、ネック１４をギター１０のボディ１２に固定する組み立てプロセスの、第一の工程の例を示す。完成したネックアセンブリ４７は、ネック１４、ヘッド２４、指板支持体（プレート２８を備える）、角度の付いたねじ切りされた挿入物３２、一体的なレール３４、踵状部分４４、およびねじ切りされた挿入物６８を備える。完成したボディ１２のアセンブリは、ヘッドブロック５２（付随するリブ付きの「Ｃ字型」表面５４を有する）、開口部分５８、上表面６０、および背面の実質的に平坦な表面６６（表面６６と、ボディ１２の内側表面との間に位置する、シム５３に設置される）を備える。
【００３８】
図５ｃは、この組み立てプロセスにおける次の工程を図示し、完全に組み立てられたネックからボディへの接合部を示す。ここで、取り付け機構（例えば、ねじ）が、ネックアセンブリをボディ１２に、角度の付いた構成を用いて、ねじ切りされた挿入物３２を介して固定するために使用される。ねじは、開口部５８を貫通し、そしてねじ切りされた挿入物６８を締めて、ヘッドブロック５２を、ネック１４の踵状部分の方へと横方向に引き寄せる。舌状部分４６は、ボディ１２の開口部を貫通して、ヘッドブロック５２のリッジ５４の背面によって作製される空洞に受容される。最後に、取り付け機構（例えば、ねじまたはボルト）が使用されて、ネックアセンブリを、ボディ１２に、垂直な様式で、位置７０（プレート２８のねじ切りされた挿入物３２に対応する）にしっかりと固定する。
【００３９】
図６は、ギターの組み立ての方法の流れ図を図示する。第一の工程として、ヘッドブロックを、エポキシまたは他の強力接着剤または類似の結合材料を使用して、種々のシム部材に固定することによって、ヘッドブロックが予備組み立てされる（工程７２）。プレート構造体が、ギターのネックおよび指板に設置される（工程７４）。次に、ヘッドブロックが、ギターのボディの内側表面に、ネックからボディへの接合領域のすぐ近くで、取り外し可能に設置される（工程７６）。最後に、指板支持アセンブリ（これは、プレート構造体を備える）が、角度の付いたねじ構成およびさらなる取り付け機構（これらは、先に記載された）を使用して、ヘッドブロックに固定される（工程７８）。
【００４０】
プレート２８を備える指板支持アセンブリを、独特のヘッドブロック５２と組み合わせて使用するという概念は、ネック１４と、ボディ１２のネックからボディへの接合領域とを、正確かつ望ましい整列で維持するための、新規かつ非常に頑丈な方法を提供する。この正確かつ望ましい整列は、特定の用途のための、プレート２８およびヘッドブロック５２を形成するための複合材料の選択によって、部分的に達成される。さらに、プレート２８の構造体の特別な加工特性は、ヘッドブロック５２の特性と一緒になって、貢献する。最後に、部分構成要素の全体的な幾何学形状もまた、役割を果たす。
【００４１】
プレート２８およびヘッドブロック５２の剛性の構造は、環境の変化および気候の変化によって引き起こされる、ネック１４の角度および弦の作用の変化を排除することを補助する。さらに、この構造の剛性の性質は、弦から、ギター１２のネックからボディへの領域へのエネルギー損失を減少させることを補助し、これにより、ギター１２の全体的な維持を増強する。
【００４２】
複合材料のヘッドブロック５２は、先に記載されたように、単一のサイズで作製され得る。シム５３を利用して、単一のヘッドブロックが、種々のギター１０の用途において働き得る。ヘッドブロック５２は、数個の表面を有し、これらの表面は、シム構造体５３と界面を接して、ギター１０のボディ１２の内側の上部、側部、および背部と嵌合し得る。ここでまた、種々のシム５３を使用することにより、製造が単純になり、そして在庫が減少する。また、単一のサイズのヘッドブロックが、多数の形状および型の楽器のために使用され得る。ヘッドブロックをシム部材に予備組み立てすることによって、ギター１０の全体的な組み立てが、（数種の接着剤を同じプロセスにおいて使用するのではなく）水ベースの接着剤を用いて規則的な順序で進行されることが可能になる。なぜなら、プレート２８およびヘッドブロック５２において使用される複合材料は、水ベースの接着剤で結合することができないからである。
【００４３】
全体として、ギター１０は、先に開示された指板支持アセンブリおよびヘッドブロック構造体を使用して、より容易に製造される。さらに、この楽器は、一貫して、よりよい品質である。
【００４４】
本発明の１つ以上の実施形態が、詳細に説明されたが、当業者は、これらの実施形態に対する改変および適合が、添付の特許請求の範囲に記載されるような本発明の範囲から逸脱することなくなされ得ることを理解する。
【図面の簡単な説明】
【００４５】
【図１ａ】図１ａは、ギターの上面図を図示する。
【図１ｂ】図１ｂは、ギターの側面図を図示する。
【図２ａ】図２ａは、指板支持アセンブリのためのプレート構造体の上面図を図示する。
【図２ｂ】図２ｂは、プレート構造体の側面図を図示する。
【図２ｃ】図２ｃは、プレート構造体のさらなる側面図を図示する。
【図３ａ】図３ａは、プレート構造体をギターの指板に固定する方法における、第一の工程を図示する。
【図３ｂ】図３ｂは、プレート構造体および指板を、ギターのネックに固定する方法における、第二の工程を図示する。
【図３ｃ】図３ｃは、この方法における第三の工程を図示し、プレート構造体を備える一体化された指板支持アセンブリを有する、組み立てられたネックを示す。
【図３ｄ】図３ｄは、一体化された支持棒およびトラスロッドを有するギターのネックを図示する。
【図４ａ】図４ａは、プレート構造体を受容するための一体化されたチャネルを有するヘッドブロックの側面図を図示する。
【図４ｂ】図４ｂは、ヘッドブロックの上面図を図示し、これもまた、一体化されたチャネル構造体を示す。
【図４ｃ】図４ｃは、ヘッドブロックのさらなる側面図を図示し、そして「Ｃ字型」の形状を示す。
【図４ｄ】図４ｄは、ヘッドブロックをギターのボディに設置することを補助するための、シム構造体を図示する。
【図４ｅ】図４ｅは、ヘッドブロックの第一の三次元図を図示する。
【図４ｆ】図４ｆは、ヘッドブロックの第二の三次元図を図示する。
【図４ｇ】図４ｇは、プレート構造体の三次元図を図示する。
【図５ａ】図５ａは、ヘッドブロックに設置された、指板支持アセンブリの三次元切り取り図を図示する。
【図５ｂ】図５ｂは、ギターのネックを、一体化された指板支持アセンブリおよび設置されたヘッドブロックを有するギターのボディに固定する方法における、第一の工程を図示する。
【図５ｃ】図５ｃは、この方法における第二の工程を図示し、ここでまた、指板支持アセンブリおよびヘッドブロック構造体を有する、組み立てられたギターを示す。
【図６】図６は、ギターを組み立てる方法を図示し、この方法は、ギターのネックを、一体化された指板支持アセンブリおよびヘッドブロック構造体を有するギターのボディに固定する工程を包含する。
【符号の説明】
【００４６】
１０  ギター
１２  ボディ
１４  ネック
１６  共鳴板
１８  サウンドホール
２０  側壁
２２  裏板
２４  ヘッド
２６  ブリッジ
【図１ａ】
2007323074.tif 000002
【図１ｂ】
2007323074.tif 000003
【図２ａ】
2007323074.tif 000004
【図２ｂ】
2007323074.tif 000005
【図２ｃ】
2007323074.tif 000006
【図３ａ】
2007323074.tif 000007
【図３ｂ】
2007323074.tif 000008
【図３ｃ】
2007323074.tif 000009
【図３ｄ】
2007323074.tif 000010
【図４ａ】
2007323074.tif 000011
【図４ｂ】
2007323074.tif 000012
【図４ｃ】
2007323074.tif 000013
【図４ｄ】
2007323074.tif 000014
【図４ｅ】
2007323074.tif 000015
【図４ｆ】
2007323074.tif 000016
【図４ｇ】
2007323074.tif 000017
【図５ａ】
2007323074.tif 000018
【図５ｂ】
2007323074.tif 000019
【図５ｃ】
2007323074.tif 000020
【図６】
2007323074.tif 000021